(57)【要約】【課題】着用しやすいベストでありながら、正面の腹部で開閉使用できるポケットを備えたベストを提供する。【解決手段】左右前身頃２，３を有した前開閉型のベスト１であって、腹部において左右身頃に跨るポケット８を装着し、その一側部を左右一方の前身頃に一体的に連設し、他側部を他方の前身頃に着脱自在に止着し、ポケットは、身頃側の収納本体部８ａと前方側の収納開閉部８ｂとを上側を開閉自在とした上開き構成とし、収納開閉部が前方横方向に開いた状態で拡開を停止させて定置可能なストッパー８ｄを側部に形成した。【選択図】図１
2007312712.tif 000002
【特許請求の範囲】
【請求項１】
左右前身頃を有した前開閉型のベストであって、前開閉部を跨いで左右身頃に跨るポケットを止着してなる構成を有する釣り用ベスト。
【請求項２】
左右前身頃を有した前開閉型のベストであって、前開閉部を跨いで左右身頃に跨るポケットを止着するに当たって、その一側部を左右いずれか一方の身頃に一体的に連設し、他側部を他方の身頃に着脱自在に止着してなる構成を有する釣り用ベスト。
【請求項３】
左右前身頃を有した前開閉型のベストであって、前開閉部を跨いで左右身頃に跨るポケットを止着するに当たって、ポケット左右背面部乃至左右側面部を左右両身頃にそれぞれ着脱自在に止着してなる構成を有する釣り用ベスト。
【請求項４】
ポケットは身頃側の収納本体部と前方側の収納開閉部とを、下側を連設し上側を開閉自在とした上開き構成となし、かつ、収納開閉部が前方横方向に開いた状態において拡開を停止させて収納開閉部を拡開状態で定置可能なストッパーを側部に形成してなる構成を有する請求項１〜３のいずれかに記載の釣り用ベスト。
【発明の詳細な説明】
【技術分野】
【０００１】
本発明は、釣り人が着用するのに好適なチョッキ型の釣り用ベストに関する。
【背景技術】
【０００２】
多くの釣り人はベストを着用している。ベストは冬場などは防水性を重視し、夏場などは通気性を重視し、そのような構成対応が考慮されている一方、釣りには必要な多数の小物を収納する必要があることから、沢山のポケットを形成し、背中側にもポケットを設けるなどの考慮がなされている。ベストは着脱容易なように前開閉型の前ファスナー式が多く、したがってポケットは下記特許文献１に示されているように、少なくとも左右前身頃に各別に形成されているのが一般的である。また、下記特許文献２の如く、吊下げ式バッグや腰ベルト式バッグも示されている。
【特許文献１】特開２００５−２２０４６２号公報
【特許文献２】特開平１０−２０１４０５号公報
【発明の開示】
【発明が解決しようとする課題】
【０００３】
上記のような従来のベストであると、ポケットが左右に分かれ、かつその分だけ小さくなるために、操作が側方向きとなり、収納が細分化され、不便である。ポケットを増やそうとすれば、肩吊り（首吊り）式、或いは腰ベルト式の小物入れをベストの上に着用することも考えられるが、別着用で取扱いに不便であり、重ね着用の下側に位置したポケットは使い難くなってしまう。
本発明者は、従来のベストにこのような問題点があることを見出し、新たな機能性を付加すべくベストの改良をなしたものであり、前開閉型で着用しやすいベストでありながら、正面の腹部付近で開閉使用できるポケットを備えたベストを提供せんとするものである。
【課題を解決するための手段】
【０００４】
上記課題を解決するために、本発明は、左右前身頃を有した前開閉型のベストであって、前開閉部を跨いで左右身頃に跨るポケットを止着して釣り用ベストを構成したものであり、上記前開閉部を跨いで左右身頃に跨るポケットを止着するに当たって、その一側部を左右いずれか一方の身頃に一体的に連設し、他側部を他方の身頃に着脱自在に止着した構成を有するものとしたことを特徴とする。
また、上記ポケットを止着するに当たって、ポケット左右背面部乃至左右側面部を左右両身頃にそれぞれ着脱自在に止着した構成を有するものとしたことも特徴とする。
【０００５】
上記ポケットは、身頃側の収納本体部と前方側の収納開閉部とを、下側を連設し上側を開閉自在とした上開き構成となし、かつ、収納開閉部が前方横方向に開いた状態において拡開を停止させて収納開閉部を拡開状態で定置可能なストッパーを側部に形成してなる構成とするのが好ましい。
【発明の効果】
【０００６】
本発明によれば、ポケットが正面に付いているベストを提供でき、ベストを着用すれば、ポケットが一体化でき、そのまま正面腹部で所望の大きさポケットを利用することができる。しかもポケットを止着したままの状態で、ベスト正面を開閉することができ、ベストの使用が簡易でありながら便利である。ポケットはベストの正面の腹部においてベストに一体化されるので、使用しやすく、安定性が高い。
ポケットが前身頃に対して片側のみ一体化していれば、他側のみを外してポケットがベストに止着している状態のまま、ベストの正面を開閉してベストを簡単容易に着脱でき、ポケットが前身頃に両側で着脱自在に止着してあれば、一方を外して上記同様に使用できるとともに、両方を外してポケットをベストに対して簡単容易に着脱できる便利さも備わる。
【０００７】
ポケットは、上開きで開閉部が前方に開き、かつ水平乃至前方上がりの横向き状態で定置できるようにしてあることにより、拡開状態においても収納物が落ち難く、収納物の取扱い例えばルアーの交換などの操作を簡便かつ安定して、正確に行なえるようになしえる。
【発明を実施するための最良の形態】
【０００８】
以下、本発明の一実施形態を図面とともに説明する。
図１〜３、４は本発明ベストの実施の一例を、図４は別の一例を示してあるが、本発明の要部以外のベスト本体の構成、ポケットの構成は適宜変更可能であり、図示の例に制約されない。
【０００９】
ベスト１は、左右前身頃２，３、後身頃４、及び左右側部の伸縮ベルト部５，５、肩回り部６，６などを具備し、ポケットを任意に設け、左右前身頃２，３を正面中央の縦方向一対のスライドファスナー７（ホックなどでもよい）で開閉自在となるように構成してある。生地自体の構成、その他の各部の構成は任意である。
上記ベストの正面腹部付近に、左右前身頃２，３に跨って所望大きさを確保した小物入れバッグ型のポケット８を配設してある。
【００１０】
上記ポケット８は、図２の例では、ポケット背面左側端部を、連設片９を介して左前身頃２内に縫着一体化して、連設片９を軸にポケットが前方に回転できるように形成し、ポケット背面右側と右前身頃３内とに対向状に固着した雌雄のベルベット式ファスナー（面ファスナー）１０，１０ａによって、ポケット右側部をベストに対して着脱自在に止着できるようにし、さらに右前身頃３側縁部に固着し正面方向に延設したベルト付きバックル１１と、ポケット右側部に固着し右側方向に延設したベルト付きバックル１１ａとを離脱自在に係止して、ポケット８を一層確実に確保できるように形成してある。ポケット左側にも上記バックルと対称的にバックルを装着しておくのが装飾上好ましい。
【００１１】
図４はポケット８の上記とは異なる構成例を示してあり、ポケット８をベスト１に対して着脱自在とした例である。ベスト１には左右前身頃２，３内にベルベット式ファスナー１０，１０をそれぞれ配設し、ポケット背面の左右側部に上記と雌雄一対となるベルベット式ファスナーを対向状に配設し、さらに、ポケット右側をより一層確実に確保する上記同様のベルト付きバックル１１，１１ａを配設し、ポケット左側にも同様にして、左前身頃２側縁部に固着し正面方向に延設したベルト付きバックル１２と、ポケット左側部に固着し左側方向に延設したベルト付きバックルとを離脱自在に係止できるように形成してある。
なお、図２、図４いずれの実施例においても、ベルベット式ファスナーに代えて、ホック、フックなどの他の止着手段を採用することができる。
【００１２】
上記ポケット８自体の構成は、図３に例示の如く、身頃側の収納本体部８aと前方側の収納開閉部8ｂとを、下側を連設し上側をスライド式ファスナー８ｃで開閉自在とした上開き構成としてあり、収納開閉部８ｂが前方横方向に開いた状態において拡開をストップさせて定置できるように、左右両側部において収納本体部８aと収納開閉部８ｂ間に渡って支持材８ｄを装着させてある。支持材８ｄは図にはテープを示したが、鎖その他の部材であってもよく、両者間に跨る襠布であってもよい。
【００１３】
収納本体部８aと収納開閉部８ｂとはどちらが身であっても蓋であってもよく、どちらか一方或いは両方の内側には小収納部を任意に形成してある。図４に例示した符号８ｅはルアーの掛け止め部である。なお、収納開閉部８ｂ外側面には任意に小ポケット部を形成することができる。図１に例示した符号８ｆは、釣竿の元端部を差込み可能な受け部である。
ベスト１の後身頃４の外側には、上記ポケット８と同様なポケット１３を、図５に示す如く配設することができる。
【００１４】
上記構成のベストには、その正面中央部に左右前身頃に亘ってポケット８を装着してあり、少なくともポケット８の一側部（図では右側部）とベスト（図では右前身頃３）とを分離した状態で、スライドファスナー７を開閉してベストを着脱することができる。このように、ポケット８がベストに一体的に止着してあってもスライドファスナー７の開閉を容易に行なうことができ、かつ、ファスナー７を跨ぐ位置と大きさでポケットを形成しておくことができる。
【００１５】
ポケットはベスト着用者の正面腹部付近にあるため使用しやすく、ポケットを拡開すれば、収納本体部８ａはベストに固定されたまま、収納開閉部８ｂは拡開して横開きし、ストッパーの支持材によって定置できるので、立ったまま置き場所がなくても、ポケットを安定した状態で使用でき、ルアーなどの釣り用部材の利用を安定して行うことができる。
【図面の簡単な説明】
【００１６】
【図１】本発明に係る一例ベストの正面図である。
【図２】図１のベストのポケットの左側部を開いた状態を示す正面図である。
【図３】ポケットの拡開状態を示す斜視略図である。
【図４】図２と異なるポケット装着例をしめすベストの正面図である。
【図５】上記ベストの背面の一例を示す背面図である。
【符号の説明】
【００１７】
１ベスト、      ２，３左右前身頃、      ４後身頃、      ５左右側部のベルト部、
６肩回り部、      ７スライドファスナー、
８ポケット、    ８ａ収納本体部、    ８ｂ収納開閉部、    ８ｃスライドファスナー、    ８ｄ支持材、    ８ｅ掛け止め部、    ８ｆ受け部、
９連設片、      １０，１０ａベルベット式ファスナー、      １１，１１ａ，１２バックル、      １３ポケット
【図１】
2007312712.tif 000003
【図２】
2007312712.tif 000004
【図３】
2007312712.tif 000005
【図４】
2007312712.tif 000006
【図５】
2007312712.tif 000007